(57)【特許請求の範囲】
【請求項１】
遊技機に設けられる電気的作動装置の制御を行うためにＲＯＭ等の電子部品を実装した制御回路基板を収容する遊技機の基板ボックスにおいて、
前記制御回路基板は、前記基板ボックスを遊技機の所定位置に設置した状態において、前記電気的作動装置から延出する配線コード群とコネクタ部を介して電気的に接続可能な配線コード群接続領域を有し、
前記基板ボックスは、前記制御回路基板を表側と裏側とから覆う上蓋部材とベース部材とを備え、
前記上蓋部材から突出させた上方連結部の先端に形成された上方結合部とベース部材から突出させた下方連結部の先端の形成された下方結合部とを重合する重合結合部を列状にそれぞれ所定間隔を開けて複数形成して、このうちのいずれか一つの重合結合部に対し締結部材により固着せしめて切断あるいは切除しなければ開けられないように前記ベース部材に対して前記上蓋部材を閉止する不正開放防止結合手段を設け、
前記下方連結部の幅を前記上方連結部の幅より大きく形成し、
前記上蓋部材は、該上蓋部材より延設して、前記配線コード群接続領域を覆い、配線コード群接続領域に設けたコネクタ部に対して配線コード群のコネクタ部の挿着を可能とする開口部を形成した補助カバー部材を備えたことを特徴とする遊技機の基板ボックス。
【発明の詳細な説明】
【技術分野】
【０００１】
この発明は、遊技機の制御回路基板を収容する基板ボックスに関する。
【背景技術】
【０００２】
従来の遊技機、例えばパチンコ遊技機において、遊技機の裏面側には、遊技機の遊技制御を行う役物制御装置や球排出装置を制御する球排出制御装置等の制御回路をボックス内に収容した基板ボックスが設けられている。
【０００３】
基板ボックスは、ＩＣ（集積回路）や抵抗等の各種電子部品が多数実装された制御回路基板を樹脂性や金属性のボックスに収容して、ショート等を防いだり、ほこり等のゴミが侵入しないように保護しており、遊技機の本体枠（前面枠）や基枠体としての裏メカベース盤あるいは遊技盤等の裏面側に取付け可能となっている。
【０００４】
例えば、役物制御装置においては、制御回路内にＣＰＵ、ＲＯＭ（メモリ）、ＲＡＭ（メモリ）等が設けられており、ＲＯＭに記憶されたプログラムにしたがい遊技制御が行われ、大当たり等もここで制御されている。
【０００５】
基板ボックスは、一般的に上蓋部材とベース部材とを重ね合わせたボックス体になっており、その他の各種装置と電気的に接続するためのコネクタ部がボックスから露出して設けられており、各種配線をコネクタ部を介して接続することにより、それぞれに関わる制御が可能となっている。
【０００６】
基板ボックスには、遊技制御に関わる制御回路基板が収容されているので、いたずらや不正行為の対象になりやすく、このため基板ボックスにおいては、一旦開放されると、開放されたことが分かるように、上蓋部材とベース部材との合わせ目に封印シールを貼ったり、あるいは基板ボックスの表面をクリアな樹脂により形成して、収容されている制御回路基板の状態を外部から見えるようにしていた。
【発明の開示】
【発明が解決しようとする課題】
【０００７】
しかしながら、基板ボックスが封印されていたとしても、基板ボックス内の制御回路基板上のコネクタ部に対して各種装置から延出している各種配線を接続する目的で露出状態で設けられている接続領域を利用して、不正行為者はいたずらや不正行為を行う恐れがあった。
【０００８】
例えば、遊技機（本体枠）が閉じている場合に、ピアノ線等の異物を本体枠の隙間から差し込まれて基板のパターン面にいたずらをされたり、コネクタ部を抜かれるいたずらをされる恐れがあり、また本体枠を開けられた状態では、可変表示遊技の始動信号の入力等を外部回路を基板に接続して不正を加える不正行為が行われる心配があった。
【０００９】
また、制御回路基板が露出していることで、島設備や遊技機内にたくさん貯蔵される球等が、例えば遊技機内を循環している球が露出している部分に紛れ込んで接触したり、その他の金属部材が触れてショートする心配もあった。また、遊技盤（ベニヤ）を交換する際等、コネクタ部の抜き差しを容易に行える半面、差し間違えをする可能性もあった。
【００１０】
これらのことを防止するために制御回路基板のすべてを覆うことも考えられるが、遊技機の設置時や遊技盤を交換する際には、制御回路基板のコネクタ部と遊技盤から延びる配線のコネクタ部を接続する必要があるので、その接続を容易にする必要があり、制御回路基板のすべてを覆うことは、作業効率を悪化させる恐れがあった。
【００１１】
そこで、本発明の目的は、制御回路基板を収容した基板ボックスで、配線を接続するために露出状態となっている制御回路基板を保護可能とする遊技機の基板ボックスを提供することにある。
【課題を解決するための手段】
【００１２】
第１の発明は、遊技機に設けられる電気的作動装置の制御を行うためにＲＯＭ等の電子部品を実装した制御回路基板を収容する遊技機の基板ボックスにおいて、前記制御回路基板は、前記基板ボックスを遊技機の所定位置に設置した状態において、前記電気的作動装置から延出する配線コード群とコネクタ部を介して電気的に接続可能な配線コード群接続領域を有し、前記基板ボックスは、前記制御回路基板を表側と裏側とから覆う上蓋部材とベース部材とを備え、前記上蓋部材から突出させた上方連結部の先端に形成された上方結合部とベース部材から突出させた下方連結部の先端の形成された下方結合部とを重合する重合結合部を列状にそれぞれ所定間隔を開けて複数形成して、このうちのいずれか一つの重合結合部に対し締結部材により固着せしめて切断あるいは切除しなければ開けられないように前記ベース部材に対して前記上蓋部材を閉止する不正開放防止結合手段を設け、前記下方連結部の幅を前記上方連結部の幅より大きく形成し、前記上蓋部材は、該上蓋部材より延設して、前記配線コード群接続領域を覆い、配線コード群接続領域に設けたコネクタ部に対して配線コード群のコネクタ部の挿着を可能とする開口部を形成した補助カバー部材を備えたことを特徴とする遊技機の基板ボックスである。
【発明の効果】
【００１３】
第１の発明によれば、補助カバー部材によって制御回路基板の配線コード群接続領域を覆うため、制御回路基板へのいたずらおよび不正行為を防止できる。また、制御回路基板にゴミや埃が付着するのを防止できる。また、島設備や遊技機内の球等の金属部材が制御回路基板に触れたり、制御回路基板の損傷等を防止できる。また、補助カバー部材の開口部より配線コード群接続領域のコネクタ部が臨むため、各種電気的作動装置の配線コード群のコネクタ部を容易に接続でき、遊技機の設置時、遊技盤の交換時および検査時等、良好な作業性を得ることができる。また、重合結合部の下方連結部の幅を上方連結部の幅より大きく形成したので、上蓋部材をベース部材に対して閉じた状態にて、上蓋部材側から連結部を見たときに、両方の連結部の状態が視認可能に形成することができる。
【発明を実施するための最良の形態】
【００１４】
以下、本発明の実施の形態を図面に基づいて説明する。
【００１５】
図１は遊技機の一例としてパチンコ遊技機を示しており、１はフレーム内に遊技盤を取付ける前面枠（本体枠とも呼ぶ）、２は前面枠１を支持する外枠である。前面枠１は、外枠２にヒンジ３ａ，３ｂにより開閉可能に組付けられ、その自由端側に施錠フック４ａ，４ｂが設けられる。外枠２は、遊技店の島設備に固定される。
【００１６】
遊技盤は、図示しないが、遊技領域に画像表示装置、変動入賞装置、入賞球センサ、ＬＥＤ、ランプ等の各種電気機器が配設される。
【００１７】
前面枠１には、遊技盤の前面を覆うカバーガラス５が開閉可能に取付けられ、下部には球の供給皿６、受皿７、打球発射装置のハンドル８等が設けられる。
【００１８】
図２はこの遊技機の背面図であり、１０は前面枠１の裏面に取付けられる基枠体（裏メカベース盤）、１１は球貯留タンク、１２は画像表示装置の表示制御装置、１３は球排出装置等を制御する球排出制御装置、１４は変動入賞装置、入賞球センサ、ＬＥＤ、ランプ等の各種電気機器の制御を行うと共に、表示制御装置１２、球排出制御装置１３等に制御信号を送る役物制御装置、１５は役物制御装置１４の基板ボックス、１６は打球発射制御装置である。
【００１９】
基板ボックス１５は、裏メカベース盤１０の表面（遊技機の裏面）に取付けられ、その役物制御装置１４と各種電気機器、各制御装置等とは配線コード群１７〜２０を介して電気的に接続される。
【００２０】
図３は基板ボックス１５の斜視図で、図４は分解斜視図であり、２５はベース部材、２６は上蓋部材、２７は下部保護板、２８は上部保護板、３０は役物制御装置１４の制御回路基板、３１は制御回路基板３０に実装された電子部品のうちのＲＯＭ、３２は制御回路基板３０の一側部に形成された配線コード群の接続領域３３に設けられたコネクタ部（雄コネクタ）である。
【００２１】
遊技プログラムが記憶されたＲＯＭ３１は、制御回路基板３０のほぼ中央に配設される。
【００２２】
ベース部材２５は、透明の樹脂からなり、制御回路基板３０よりもいくらか大きい底部３４には格子状にリブが設けられ、底部３４の四方には高さの低い周壁３５ａ〜３５ｄが形成される。
【００２３】
ベース部材２５の底部３４の２つの隅および周壁３５ａ，３５ｃに沿う所定の位置には、下部保護板２７、制御回路基板３０、上部保護板２８をネジ止めする止着用ボス３６が形成される。制御回路基板３０の配線コード群の接続領域３３側の周壁３５ｄには、その接続領域３３の基板端部の受け（図示しない）が設けられ、底部３４の中央付近には、制御回路基板３０のＲＯＭ３１に対応する位置に、ＲＯＭ３１の着脱時に制御回路基板３０が曲がったりしないように、支えボス３７が設けられる。
【００２４】
上蓋部材２６は、透明の樹脂からなり、制御回路基板３０の配線コード群の接続領域３３を除いて、制御回路基板３０および上部保護板２８を覆うと共に、ベース部材２５の三つの周壁３５ａ〜３５ｃに上蓋部材２６の周壁３８ａ〜３８ｃの先端が合う大きさに形成される。
【００２５】
上蓋部材２６とベース部材２５との間には、周壁３８ａと周壁３５ａとの間に係脱可能な蝶着部４０が設けられ、その反対側の周壁３８ｃと周壁３５ｃとの間に突起４１と門型の係止片４２とからなる係止部４３が設けられる。上蓋部材２６をほぼ全開位置まで開くと蝶着部４０によって上蓋部材２６をベース部材２５から取り外すことが可能であり、上蓋部材２６を閉じると係止部４３によって上蓋部材２６がベース部材２５に係止されると共に、位置決めされる。
【００２６】
上蓋部材２６の天板部４４には、制御回路基板３０の電源部に対応して放熱孔４５が形成される。天板部４４の周壁３８ｄに沿う部位には、周壁３８ｄの高さを低くして段差が形成される。周壁３８ｂには、制御回路基板３０に配設される遊技機の確率設定器に確率設定キーを差し込んで確率をセットするための穴４６が設けられる。
【００２７】
下部保護板２７は、ベース部材２５側からの静電気等の耐ノイズ用に金属製から形成され、透明のベース部材２５を通して外部から制御回路基板３０を視認可能に多数の六角形の孔が設けられている。制御回路基板３０を視認可能であれば、六角形に限らず、丸型やその他の多角形の孔でも良い。
【００２８】
上部保護板２８は、静電気等の耐ノイズ用に金属製から形成され、透明の上蓋部材２６を通して外部から制御回路基板３０を視認可能に中央部が大きくくりぬかれている。
【００２９】
この基板ボックス１５の上蓋部材２６をベース部材２５に対して閉じたときに対向する周壁のうち、制御回路基板３０の配線コード群の接続領域３３側の周壁３８ｄ，３５ｄおよび蝶着部４０側の周壁３８ａ，３５ａを除く周壁３８ｂ，３５ｂ，３８ｃ，３５ｃの所定の位置に、即ち上蓋部材２６側から見て複数ある辺部のうち、配線コード群の接続領域３３側および蝶着部４０側にない二つの辺部の所定の位置に、それぞれ不正開放防止結合手段を構成する複数の重合結合部５０〜５３，５４〜５７が形成される。
【００３０】
重合結合部５０〜５３、５４〜５７は、それぞれ図５のように上蓋部材２６の周壁３８ｂ，３８ｃから突出させた連結部（上方連結部）６０の先端に上方結合部６１が、ベース部材２５の周壁３５ｂ，３５ｃから突出させた連結部（下方連結部）６２の先端に下方結合部６３が形成される。
【００３１】
上方結合部６１には、中央に所定径の通し穴６４が、通し穴６４の上部にワンウェイネジ６５等（締結部材）の頭部を囲う埋め込み穴６６が、下面に通し穴６４の回りに段状の係合突部６７が設けられる。下方結合部６３には、上部に上方結合部６１の係合突部６７が嵌まる係合受部６８が、その中央に上方結合部６１の通し穴６４につながる通し穴６４とほぼ同径の所定深さの穴６９が形成される。
【００３２】
上蓋部材２６をベース部材２５に対して閉じると、図６のように上方結合部６１の係合突部６７が下方結合部６３の係合受部６８に嵌まり、位置決めしながら、上方結合部６１の下面と下方結合部６３の上面が、上方連結部６０の下面と下方連結部６２の上面が当接される。
【００３３】
下方連結部６２は上方連結部６０に隠れることのないように、図７のように例えば下方連結部６２の幅が上方連結部６０の幅よりも大きく形成される。即ち、上蓋部材２６をベース部材２５に対して閉じた状態にて、上蓋部材２６側から連結部６０，６２を見たときに、両方の連結部６０，６２の状態が視認可能に形成される。上方連結部６０、下方連結部６２は、それぞれニッパ等で切断可能に形成される。なお、両方の連結部６０，６２の状態が視認可能であれば、例えば上方連結部６０をクリア部材にして下方連結部６２まで透けて見えるようにする等、他の方法でも良い。
【００３４】
重合結合部５０〜５３は、上蓋部材２６の周壁３８ｂ、ベース部材２５の周壁３５ｂに沿って１列に所定の間隔を空けて形成され、重合結合部５４〜５７は、上蓋部材２６の周壁３８ｃ、ベース部材２５の周壁３５ｃに沿って１列に所定の間隔を空けて形成される。
【００３５】
一方、制御回路基板３０の配線コード群の接続領域３３を覆う透明の樹脂からなるカバー部材８０が設けられる。カバー部材８０は、上蓋部材２６およびベース部材２５とは別体に設けられ、ベース部材２５の周壁３５ｄの内面に接すると共に、配線コード群の接続領域３３を囲う周壁３５ａ，３５ｃの部位に重なる大きさに形成される。このカバー部材８０が重なる部位の周壁３５ａ，３５ｃの高さはカバー部材８０の厚さ分、低く形成される。
【００３６】
カバー部材８０には、配線コード群の接続領域３３に設けられたそれぞれの雄コネクタ３２に対応する位置に、それぞれコネクタ３２の形状よりもいくらか大きい開口部８１が形成される。カバー部材８０の両端には、突片８２が設けられ、カバー部材８０の内側の縁部には、小さな孔８３が設けられる。
【００３７】
このカバー部材８０をベース部材２５に着脱可能に取付けるように、カバー部材８０の両端の突片８２に対応して、ベース部材２５の周壁３５ａ，３５ｃには門型の係止片８４が形成される。また、上蓋部材２６の周壁３８ｄの下端には、カバー部材８０の内側の縁部の孔８３に対応して、固定用のボス８５が突設される。
【００３８】
ただし、図２〜図４の配線コード群の接続領域３３の雄コネクタ３２、カバー部材８０の開口部８１は概略的に表してある。
【００３９】
ベース部材２５の周壁３５ａ，３５ｃには取付ボス７２が突設され、その取付ボス７２には裏メカベース盤１０の取付部に設けた掛止具に対するワンタッチ式の止め具７３（図２）が組み込まれる。
【００４０】
図７のように、上蓋部材２６の天板部４４の表面には、後述する機種名表示票７６、検査履歴書７７が取付けられると共に、重合結合部５０〜５３，５４〜５７の近傍に、それぞれ重合結合部５０〜５３，５４〜５７に対応して数字等の識別符号が表示される。
【００４１】
この識別符号は、公的機関のＲＯＭ３１等の電子部品の検査時に関わる封印、開放の順位を示しており、印刷あるいは打刻（成型表示を含む）によって、あるいは識別符号を印刷したシールを貼り付けることによって、表示される。なお、天板部４４の内面に印刷、打刻（成型表示を含む）、あるいはシールを貼り付けることによって、表示するようにしても良い。また、重合結合部自体に印刷や打刻（成型表示を含む）をしても良い。
【００４２】
また、カバー部材８０の所定の位置には、機種名（例えば、ソフィア丸）が印刷あるいは打刻（成型表示を含む）によって、あるいは機種名を印刷したシールを貼り付けることによって、表示される。なお、カバー部材８０の機種名は、カバー部材８０の内面に印刷、打刻（成型表示を含む）、あるいはシールを貼り付けることによって、表示するようにしても良い。
【００４３】
なお、図７のように制御回路基板３０の各雄コネクタ３２の近傍には、制御回路基板３０上にコネクタの識別情報（コネクタ番号；ＣＮ１、ＣＮ２、ＣＮ３…）が記してある。
【００４４】
次に、この基板ボックス１５の組立ておよび遊技機への組付けについて説明する。
【００４５】
ベース部材２５の底部３４に下部保護板２７、制御回路基板３０、上部保護板２８を重ね、ネジにより止着用ボス３６にネジ止めする。
【００４６】
上蓋部材２６の重合結合部５０〜５３、５４〜５７の上方結合部６１の通し穴６４には、それぞれ締め方向しか回せないワンウェイネジ６５を、ワンウェイネジ６５の先端が通し穴６４から下面に出ないように仮止めしておく。
【００４７】
上蓋部材２６とベース部材２５との蝶着部４０を掛け合わせ、あるいはその蝶着部４０を掛け合わせる前に、図８、図９のようにカバー部材８０をベース部材２５に取付ける。この場合、カバー部材８０をたわませて、両端の突片８２をベース部材２５の周壁３５ａ，３５ｃの係止片８４に嵌めて、取付ける。
【００４８】
この取付状態において、カバー部材８０の各開口部８１に制御回路基板３０の配線コード群の接続領域３３の対応する各雄コネクタ３２が嵌まり、各雄コネクタ３２がカバー部材８０の外部に配線コード群のコネクタ部（雌コネクタ）９０を挿着可能に臨むと共に、各雄コネクタ３２の部分を除いて制御回路基板３０の配線コード群の接続領域３３の全体がカバー部材８０によって覆われる。
【００４９】
続いて、掛け合わせた蝶着部４０を介して上蓋部材２６を閉じる。この際、上蓋部材２６とベース部材２５との係止部４３の突起４１が係止片４２に嵌まって、上蓋部材２６がベース部材２５に係止され、位置決めされると同時に、上蓋部材２６の周壁３８ｄの下端に突設したボス８５がカバー部材８０の内側の縁部の孔８３に嵌まり、上蓋部材２６の周壁３８ｄの下端のボス８５とベース部材２５の周壁３５ａ，３５ｃの係止片８４とでカバー部材８０が固定される。
【００５０】
また、上蓋部材２６を閉じると、重合結合部５０〜５３、５４〜５７の各上方結合部６１の係合突部６７が各下方結合部６３の係合受部６８に嵌まり、それぞれが位置決めしながら、重合する。
【００５１】
この状態にて、重合結合部５０〜５３のうちの一つと、重合結合部５４〜５７のうちの一つとを、それぞれ上方結合部６１に仮止めしてあるワンウェイネジ６５を下方結合部６３まで確実に締めて、結合、固着する。この場合、識別符号１の重合結合部５０，５４を結合、固着する。
【００５２】
この後、基板ボックス１５の表面つまり上蓋部材２６の天板部４４の表面には、図７のように透明なシール等に遊技機メーカー名、機種名、電圧、容量、注意書き等の各仕様を記載した機種名表示票７６、ならびに所定のシール等に製造業者記号を含んだ基板管理番号を記載（図示してない）すると共に公的機関がＲＯＭ３１等の電子部品の検査の際に基板ボックス１５を正規に開放したことを証明する記載を可能な欄を設けた検査履歴書７７を取付ける。
【００５３】
機種名表示票７６は、上蓋部材２６の天板部４４の蝶着部４０側に、検査履歴書７７は天板部４４の重合結合部５４〜５７の識別符号に沿う側に、制御回路基板３０のＲＯＭ３１を上蓋部材２６を通して視認するのに支障のないよう、ＲＯＭ３１を覆う部位を除くよう、天板部４４のほぼ中央にＲＯＭ３１の大きさと略同等以上の面を空けて、貼着により取付ける。
【００５４】
この場合、機種名表示票７６は、樹脂等のプレートに遊技機メーカー名、各仕様を印刷あるいは打刻（成型表示を含む）したものを、上蓋部材２６の天板部４４に接着、あるいは天板部４４に嵌め込み溝等の取付部を形成して、取付けるようにして良い。また、遊技機メーカー名、各仕様を予め天板部４４に印刷あるいは打刻するようにしても良い。
【００５５】
検査履歴書７７は、公的機関の検査に関わる基板ボックス１５の封印、開放つまり重合結合部５０〜５３，５４〜５７の状態を管理するために、検査回数、検査年月日、検査印等の検査履歴の記載欄を設け、その検査回数の欄には、上蓋部材２６の天板部４４に表示してある重合結合部５０〜５３，５４〜５７の識別符号１，２，３，４に対応して、順に第１、第２、第３、第４の表示の印刷等を行っておく。重合結合部５０〜５３，５４〜５７の識別符号に検査履歴の欄を対応させれば、重合結合部５０〜５３，５４〜５７の封印順序が定まり、検査時の作業が容易になると共に、識別符号、検査履歴を見て、重合結合部の状態を的確に照合することができる。
【００５６】
この検査履歴書７７は、前記検査履歴の記載欄等を設けたシールを樹脂等のプレートに貼り付けると共に、上蓋部材２６の天板部４４にそのプレートを着脱できる嵌め込み溝等の取付部を形成して、取付けるようにして良い。また、検査時の開、封の手順等の説明をシールあるいはプレートに印刷あるいは打刻により表記するようにして良い。また、シールを用いる場合、剥がすと痕跡が残る特殊なシールを用いて良い。
【００５７】
なお、機種名表示票７６、検査履歴書７７は、上蓋部材２６の天板部４４の内面に、つまり機種名表示票７６、検査履歴書７７の表面を天板部４４の表面（外面）に向けて取付けるようにしても良い。この場合、埃等によって機種名表示票７６、検査履歴書７７が汚れたり、表示が見えにくくなるようなことはなく、また機種名表示票７６、検査履歴書７７が剥がれたり、傷付いたりするようなこともない。
【００５８】
そして、組立てた基板ボックス１５を図２のように遊技機の裏メカベース盤１０の所定の取付位置に取付ける。
【００５９】
基板ボックス１５のベース部材２５を裏メカベース盤１０の所定の取付位置の表面に合わせ、ベース部材２５の取付ボス７２のワンタッチ式の止め具７３を裏メカベース盤１０の所定位置の掛止具に押し込み、固定する。
【００６０】
この場合、図２のように重合結合部５４〜５７が上方に、制御回路基板３０の配線コード群の接続領域３３が球排出制御装置１３側に、重合結合部５０〜５３が裏メカベース盤１０の周縁部につまり遊技機の前面枠１の開閉自由端側にくるように、取付位置を定めている。
【００６１】
この取付後、カバー部材８０の開口部８１より露出している制御回路基板３０の接続領域３３の各雄コネクタ３２に、表示制御装置１２、球排出制御装置１３、各種電気機器からの各配線コード群１７〜２０の各雌コネクタ９０をそれぞれ嵌め込み、接続する。
【００６２】
この際、接続領域３３に対する配線コード群１７〜２０の配線作業空間が重ならない基板ボックス１５の部位に重合結合部５０〜５３、５４〜５７が位置している。即ち、重合結合部５０〜５３は、接続領域３３の反対側にて裏メカベース盤１０の周縁部側に、重合結合部５４〜５７は、接続領域３３から離れ裏メカベース盤１０の周縁部に近い側に位置する。このため、配線コード群１７〜２０を接続領域３３のコネクタ部３２に接続する場合に、重合結合部５０〜５３，５４〜５７に配線が絡まったり、接続した配線が重合結合部５０〜５３，５４〜５７を覆って重合結合部５０〜５３，５４〜５７が隠れたりすることはない。
【００６３】
このように、カバー部材８０によって制御回路基板３０の配線コード群の接続領域３３を覆うため、例えば遊技機の前面枠１の隙間からピアノ線等の異物を差し込まれて、制御回路基板３０のパターン面に傷を付けたりするいたずらをされることが防止される。
【００６４】
また、カバー部材８０は上蓋部材２６を開けないと取り外せず、上蓋部材２６は後述するように封印してある重合結合部を切除しないと開けられない。このため、遊技機の前面枠１を開けられた状態でも、例えば制御回路基板３０に外部回路を接続しての不正は簡単には行えず、外部回路によって可変表示遊技の始動信号の入力等に不正を加えるような不正行為を防止できる。
【００６５】
また、制御回路基板３０にゴミや埃が付着するのが防止される。また、島設備や遊技機内の球等の金属部材が制御回路基板３０に触れることがなく、ショートを確実に防止できる。また、制御回路基板３０の損傷等が防止される。
【００６６】
また、カバー部材８０の各開口部８１より制御回路基板３０の接続領域３３の各雄コネクタ３２が露出しているため、カバー部材８０を取り外すことなく、各雄コネクタ３２に対応する表示制御装置１２、球排出制御装置１３、各種電気機器からの各配線コード群１７〜２０の各雌コネクタ９０を容易に嵌め込み、接続できる。
【００６７】
この場合、カバー部材８０が透明の部材からなるため、図７のように制御回路基板３０に記してあるコネクタの識別情報（コネクタ番号；ＣＮ１、ＣＮ２、ＣＮ３…）を見ながら雄コネクタ３２と雌コネクタ９０との接続を行える。
【００６８】
また、各雌コネクタ９０を容易に外すことができ、遊技機の設置時、遊技盤の交換時および検査時等、良好な作業性を得ることができる。
【００６９】
また、カバー部材８０を上蓋部材２６、ベース部材２５と別体に形成したため、遊技機種によって電気部品、配線量が変わり、制御回路基板３０のコネクタの数や大きさや配置等が変化した場合、これらにしたがってカバー部材８０に設ける開口部８１を変更、即ちカバー部材８０のみを変更すれば良い。このため、遊技機種が異なっても、制御回路基板３０と対応するカバー部材８０のみを変更するだけで、基板ボックス１５を共用でき、コストの低減を図れる。
【００７０】
なお、カバー部材８０を通して制御回路基板３０の接続領域３３の基板パターンを確認でき、その点検を行える。
【００７１】
一方、公的機関による基板ボックス１５内の制御回路基板３０のＲＯＭ３１の検査を行うときは、遊技機の裏メカベース盤１０より基板ボックス１５を外して、あるいは裏メカベース盤１０に取付けたまま、検査を行う。
【００７２】
基板ボックス１５を裏メカベース盤１０に取付けたまま、検査を行う場合は、重合結合部５０〜５３，５４〜５７のうち、ワンウェイネジ６５によって固着してある識別符号１の重合結合部５０，５４の上方連結部６０、下方連結部６２をニッパ等で切断して、その重合結合部５０，５４を取り除く。
【００７３】
この重合結合部５０，５４を除くと、上蓋部材２６は係止部４３によって閉止しているだけのため、係止部４３を外せば、上蓋部材２６が開く。この場合、制御回路基板３０の接続領域３３を覆うカバー部材８０を、上蓋部材２６と別体に形成してあるため、接続領域３３の雄コネクタ３２より配線コード群の雌コネクタ９０を外さずに上蓋部材２６を開けることができ、このため作業性が良い。
【００７４】
上蓋部材２６を開くと、制御回路基板３０のＲＯＭ３１を外して検査を行うことになる。
【００７５】
検査を終了すると、ＲＯＭ３１を制御回路基板３０に装着して上蓋部材２６を閉じる。この際、上蓋部材２６が位置決めしながら係止部４３が係止すると共に、切除していない識別符号２〜４の重合結合部５１〜５３，５５〜５７の各上方結合部６１の係合突部６７が各下方結合部６３の係合受部６８に嵌まり、位置決めする。
【００７６】
この状態にて、識別符号２の重合結合部５１，５５の上方結合部６１に仮止めしてあるワンウェイネジ６５を下方結合部６３まで締めて、その重合結合部５１，５５を結合、固着する。この場合、識別符号２〜４の重合結合部５１〜５３，５５〜５７が確実に重合するため、識別符号２の重合結合部５１，５５の結合、固着が容易になり、不完全な状態でワンウェイネジ６５を締める心配はない。
【００７７】
後は、上蓋部材２６の天板部４４の検査履歴書７７の検査回数の第１の記載欄に、検査担当者が検査年月日の記入、検査印等の捺印を行えば、完了となる。
【００７８】
なお、基板ボックス１５を遊技機の裏メカベース盤１０より取り外して、検査を行う場合は、制御回路基板３０の接続領域３３の雄コネクタ３２より配線コード群の雌コネクタ９０を外し、ベース部材２５のワンタッチ式の止め具７３を引くと、外せる。基板ボックス１５を外した後は、前述と同様の作業手順にて検査を行う。
【００７９】
このような基板ボックス１５に対して、基板ボックス１５を不正に開けて、制御回路基板３０のＲＯＭ３１を不正なＲＯＭに交換、あるいはＲＯＭ３１のデータを書き換えて、大当たりを頻繁に発生させる等の不正行為がある。
【００８０】
この不正行為には、正規に固着してある重合結合部の上方連結部６０と下方連結部６２とを切断して、その重合結合部を取り除いて、または上方連結部６０あるいは下方連結部６２の一方のみを切断して、重合結合部を取り除かずに、基板ボックス１５を開けたりすることが想定されるが、これは遊技店における遊技機の保守点検時あるいは営業中に遊技機の球詰まり等を直す際等に、発見が可能である。
【００８１】
基板ボックス１５を遊技機の裏面に取付けるため、遊技機の裏側から重合結合部５０〜５３，５４〜５７を確認でき、また基板ボックス１５の上蓋部材２６の天板部４４に、図７のように重合結合部５０〜５３，５４〜５７の識別符号を表示すると共に、天板部４４に取付けてある検査履歴書７７にその識別符号に対応する検査履歴の欄を設けるため、その識別符号、検査履歴を見て、正規に固着してある重合結合部はどれか、固着してある重合結合部が正しいものかどうか等の照合を簡単に行え、該当する重合結合部、上方連結部６０、下方連結部６２の状態の確認をしやすくなる。
【００８２】
そのため、遊技機の前面枠１を開くと、正規の重合結合部が切除されていれば、すぐに分かり、また固着してある重合結合部が取り除かれていなくとも、その重合結合部の上方連結部６０ならびに下方連結部６２の状態を見て、これらが切断されているかどうかの判断を簡単に行え、不正があるかどうかを容易に速やかに見付けることができる。  また、基板ボックス１５の複数の箇所に重合結合部５０〜５３，５４〜５７を形成して、複数の重合結合部を封印するので、不正行為者にとっては基板ボックス１５を開けにくくなり、封印効果が高まることに加え、不正を発見しやすくなる。特に、遊技店の係員にとっては、重合結合部５０〜５３，５４〜５７の一方を確認すれば良いので、確認ならびに不正の発見が容易になる。
【００８３】
このように、不正行為があった場合、基板ボックス１５を取り外さずに、遊技機の保守点検時あるいは営業中に遊技機の球詰まり等を直す際等に、簡単にかつ早期に発見できるのである。このため、不正抑止を図れる。
【００８４】
したがって、基板ボックス１５を開け、制御回路基板３０のＲＯＭ３１を不正に交換する等の不正行為を防止でき、このような不正行為による遊技店の損害を最小限に抑えることができる。
【００８５】
なお、実施の形態では、役物制御装置の基板ボックスに適用した例を示したが、遊技プログラムを記憶したＲＯＭと同じような重要部品を持つものであれば、これに限定することなく適用できる。また、基板ボックスは、一つの役物制御装置だけでなく、球排出制御装置あるいはその他の制御装置を収容するものであって良い。
【００８６】
図１０〜図１２は第２の実施の形態を示すもので、制御回路基板３０の配線コード群の接続領域を、各種遊技機に対して配線の仕様が共通する共通コード群接続領域１００と、専用の専用コード群接続領域１０１とに画成して、専用コード群接続領域１０１を覆うカバー部材１０２を設けると共に、共通コード群接続領域１００を覆う補助カバー部１０３を上蓋部材２６より延設したものである。
【００８７】
共通コード群接続領域１００には、各種遊技機にそれぞれ共通に使用される遊技機の前面枠１のランプ、スピーカ、打球発射装置等の配線用コネクタ（雄コネクタ）１０４ａ，１０４ｂが設けられ、上蓋部材２６の周壁３８ｄから共通コード群接続領域１００側に延設された補助カバー部１０３に、雄コネクタ１０４ａ，１０４ｂに対応する位置に、それぞれコネクタの形状よりもいくらか大きな開口部１０５ａ，１０５ｂが形成される。補助カバー部１０３の専用コード群接続領域１０１側の端部は内側に折り曲げられ、その中央下部に係止溝１０６が設けられる。
【００８８】
専用コード群接続領域１０１には、遊技機種毎に専用に使用されるあるいは仕様が異なり、配置や数が変化する電気部品の配線用コネクタ（雄コネクタ）１０７ａ〜１０７ｆが設けられ、上蓋部材２６およびベース部材２５とは別体に設けられたカバー部材１０２に、雄コネクタ１０７ａ〜１０７ｆに対応する位置に、それぞれコネクタの形状よりもいくらか大きな開口部１０８ａ〜１０８ｆが形成される。カバー部材１０２の両端には、突片１１０が設けられ、カバー部材１０２の内側の縁部には、小さな孔１１１が設けられる。
【００８９】
ベース部材２５の周壁３５ｃには、カバー部材１０２の突片１１０に対応して、門型の係止片１１２が形成される。また、上蓋部材２６の周壁３８ｄの下端には、カバー部材１０２の内側の縁部の孔１１１に対応して、固定用のボス１１３が突設される。
【００９０】
したがって、基板ボックス１５を組立てる場合、底部に下部保護板２７、制御回路基板３０、上部保護板２８をネジ止めしたベース部材２５と上蓋部材２６との蝶着部４０を掛け合わせ、あるいはその蝶着部４０を掛け合わせる前に、図１１、図１２のようにカバー部材１０２の一端の突片１１０をベース部材２５の周壁３５ｃの係止片１１２に嵌め、カバー部材１０２の開口部１０８ａ〜１０８ｆを対応する雄コネクタ１０７ａ〜１０７ｆに合わせて、配置する。
【００９１】
次に、掛け合わせた蝶着部４０を介して上蓋部材２６を閉じれば、上蓋部材２６より延設した補助カバー部１０３の開口部１０５ａ，１０５ｂが対応する雄コネクタ１０４ａ，１０４ｂに嵌まると共に、上蓋部材２６の周壁３８ｄのボス１１３がカバー部材１０２の縁部の孔１１１に、補助カバー部１０３の係止溝１０６にカバー部材１０２の突片１１０が嵌まり、カバー部材１０２はボス１１３、係止片１１２、係止溝１０６によって固定される。
【００９２】
この状態において、共通コード群接続領域１００、専用コード群接続領域１０１の各雄コネクタ１０４ａ，１０４ｂ、１０７ａ〜１０７ｆが外部に配線コード群のコネクタ部（雌コネクタ）を挿着可能に臨むと共に、各雄コネクタ１０４ａ，１０４ｂ、１０７ａ〜１０７ｆの部分を除いて制御回路基板３０の共通コード群接続領域１００、専用コード群接続領域１０１の全体が補助カバー部１０３、カバー部材１０２によって覆われる。なお、その他の構成は前記第１の実施の形態と同じである。
【００９３】
このようにすれば、遊技機種によって制御回路基板３０のコネクタの数や大きさや配置等が変化しても、機種毎に異なる部分は専用コード群接続領域１０１のカバー部材１０２だけであるので、基板ボックス１５の共用可能な部分が多くなると共に、変更部分が小さくて済み、設計変更が容易であり、コスト削減になる。
【００９４】
なお、雄コネクタ１０４ａ，１０４ｂ、１０７ａ〜１０７ｆの位置にしたがい補助カバー部１０３の延設位置、カバー部材１０２の配置位置を変更して良い。
【００９５】
図１３は第３の別の実施の形態を示すもので、カバー部材１２０の開口部１２１が制御回路基板３０の配線コード群の接続領域１２２に設けたコネクタ部（雄コネクタ）１２３の上面の上方に位置するようにしたものである。
【００９６】
この場合、前記第１の実施の形態において、ベース部材２５の周壁３５ａ〜３５ｄの高さを高くする。なお、その他の構成は前記第１の実施の形態と同じである。
【００９７】
ところで、配線コード群の接続領域が外部に露出している場合、コネクタの抜き差しは容易であった半面、コネクタの差し間違いもたびたび起こっていた。例えば、同じ色のコネクタが複数配置されている場合には、ピン数の異なるコネクタに差し込むことがあった。また、コネクタを間違えていなくても、差し込む位置がずれて、ピンにうまく入らないこともあった。
【００９８】
これに対して、図１３〜図１５のようにカバー部材１２０の開口部１２１をコネクタ部１２３の上面の上方に位置させると、開口部１２１より大きなコネクタ部（雌コネクタ）１２４は挿入できなくなり、一方開口部１２１に比してコネクタ部１２４のサイズがかなり小さい場合は、コネクタ部１２４が違うことが容易に分かる。
【００９９】
したがって、コネクタ部１２４の接続間違いが少なくなる。また、開口部１２１がガイドとなるため、ピンの位置がずれることがなく、コネクタ部１２４をコネクタ部１２３に接続しやすくなる。
【０１００】
また、例えば遊技店での保守点検の際や、不正行為者のいたずら等で、配線コードが引っ張られても、開口部１２１が上方にあることで引っ掛かりが生じ、不用意にコネクタ部１２４が抜けにくくなる。また、制御回路基板３０、コネクタ部の破損、損傷を防止できる。
【０１０１】
なお、実施の形態では、コネクタ部として制御回路基板上に設けられるコネクタを雄コネクタ、配線コード群のコネクタを雌コネクタとしたが、互いに接続可能なコネクタであれば、制御回路基板、配線コード群それぞれの組み合わせを変えても良い。また、互いに接続可能なコネクタであれば、実施の形態のものに限定されない。
【０１０２】
また、特許請求の範囲に記載した以外の本発明の観点の代表的なものとして、次のものがあげられる。
【０１０３】
（１）遊技機に設けられる電気的作動装置の制御を行うためにＲＯＭ等の電子部品を実装した制御回路基板を収容した遊技機の基板ボックスにおいて、前記制御回路基板は、前記基板ボックスを遊技機の所定位置に設置した状態において、前記電気的作動装置から延出する配線コード群とコネクタ部を介して電気的に接続可能な配線コード群接続領域を有し、前記基板ボックスは、前記配線コード群接続領域を除いて前記制御回路基板を表側と裏側とから覆う上蓋部材とベース部材とを備えると共に、前記配線コード群接続領域を覆い、配線コード群接続領域に設けたコネクタ部に対して配線コード群のコネクタ部の挿着を可能とする開口部を形成したカバー部材を備え、前記上蓋部材が開状態にあるときに、前記カバー部材の両端に設けられた突片を前記ベース部材の周壁に設けられた係止片に嵌めて前記カバー部材を前記ベース部材に取り付け、前記上蓋部材を閉じる際、該上蓋部材の周壁の下端に突設されたボスが前記カバー部材の縁部に設けられた孔に嵌まり前記カバー部材が固定され、前記カバー部材は、前記上蓋部材を開けないと取り外せないようにしたことを特徴とする遊技機の基板ボックス。
【０１０４】
これにより、カバー部材によって制御回路基板の配線コード群接続領域を覆うため、制御回路基板へのいたずらおよび不正行為を防止できる。また、制御回路基板にゴミや埃が付着するのを防止できる。また、島設備や遊技機内の球等の金属部材が制御回路基板に触れたり、制御回路基板の損傷等を防止できる。また、カバー部材の開口部より配線コード群接続領域のコネクタ部が臨むため、カバー部材を取り外すことなく、各種電気的作動装置の配線コード群のコネクタ部を容易に接続でき、遊技機の設置時、遊技盤の交換時および検査時等、良好な作業性を得ることができる。また、カバー部材が上蓋部材、ベース部材と別体のため、遊技機種によって電気部品、配線量が変わり、制御回路基板のコネクタの数や大きさや配置等が変化した場合、これらにしたがってカバー部材の開口部を変更すれば良い。このため、遊技機種が異なっても、基板ボックスを共用でき、コストの低減を図れる。また、上蓋部材が開状態にあるときに、カバー部材の両端に設けられた突片をベース部材の周壁に設けられた係止片に嵌めてカバー部材をベース部材に取り付け、上蓋部材を閉じる際、該上蓋部材の周壁の下端に突設されたボスがカバー部材の縁部に設けられた孔に嵌まりカバー部材が上蓋部材を開けないと取り外せないようにしたので、カバー部材を安易には外せないため、制御回路基板へのいたずらおよび不正行為を防止できる。
（２）遊技機に設けられる電気的作動装置の制御を行うためにＲＯＭ等の電子部品を実装した制御回路基板を収容する遊技機の基板ボックスにおいて、前記制御回路基板は、前記基板ボックスを遊技機の所定位置に設置した状態において、前記電気的作動装置から延出する配線コード群とコネクタ部を介して電気的に接続可能な配線コード群接続領域を有し、前記基板ボックスは、前記配線コード群接続領域を除いて前記制御回路基板を表側と裏側とから覆う上蓋部材とベース部材とを備えると共に、前記配線コード群接続領域を覆い、配線コード群接続領域に設けたコネクタ部に対して配線コード群のコネクタ部の挿着を可能とする開口部を形成したカバー部材を備え、前記配線コード群接続領域を、各種遊技機に対して配線の仕様が共通する共通コード群接続領域と、専用の専用コード群接続領域とに画成し、前記専用コード群接続領域は前記カバー部材により覆うと共に、前記共通コード群接続領域は前記上蓋部材から所要形状の補助カバー部を延設して覆うようにしたことを特徴とする遊技機の基板ボックス。
【０１０５】
これにより、遊技機種によって制御回路基板のコネクタの数や大きさや配置等が変化しても、機種毎に異なる部分は専用コード群接続領域のカバー部材だけであるので、変更部分が小さくて済み、設計変更が容易であり、コスト削減になる。
【産業上の利用可能性】
【０１０６】
本発明は、パチンコ遊技機、パチスロ、アレンジボール等の遊技機に適用することができる。
【図面の簡単な説明】
【０１０７】
【図１】遊技機の本体を開いた斜視図である。
【図２】遊技機の背面図である。
【図３】基板ボックスの斜視図である。
【図４】基板ボックスの分解斜視図である。
【図５】重合結合部分の断面図である。
【図６】重合結合部分の結合状態を示す断面図である。
【図７】基板ボックスの上蓋側の正面図である。
【図８】カバー部材の取付けを示す斜視図である。
【図９】カバー部材の取付けを示す斜視図である。
【図１０】別の実施の形態を示す上蓋側の正面図である。
【図１１】カバー部材の取付けを示す斜視図である。
【図１２】カバー部材の取付けを示す斜視図である。
【図１３】別の実施の形態を示す接続領域部分の斜視図である。
【図１４】接続領域部分の断面図である。
【図１５】接続領域部分の断面図である。
【符号の説明】
【０１０８】
１ 前面枠
２ 外枠
３ａ，３ｂ ヒンジ
１０ 基枠体（裏メカベース盤）
１２ 表示制御装置
１３ 球排出制御装置
１４ 役物制御装置
１５ 基板ボックス
１６ 打球発射制御装置
１７〜２０ 配線コード群
２５ ベース部材
２６ 上蓋部材
２７ 下部保護板
２８ 上部保護板
３０ 制御回路基板
３１ ＲＯＭ
３２ コネクタ部
３３ 接続領域
３４ 底部
３５ａ〜３５ｄ 周壁
３６ 止着用ボス
３７ 支えボス
３８ａ〜３８ｄ 周壁
４０ 蝶着部
４１ 突起
４２ 係止片
４３ 係止部
４４ 天板部
５０〜５３，５４〜５７ 重合結合部
６０ 上方連結部
６１ 上方結合部
６２ 下方連結部
６３ 下方結合部
６５ ワンウェイネジ
７２ 取付ボス
７３ 止め具
７６ 機種名表示票
７７ 検査履歴書
８０ カバー部材
８１ 開口部
８２ 突片
８３ 孔
８４ 係止片
８５ ボス
９０ コネクタ部
１００ 共通コード群接続領域
１０１ 専用コード群接続領域
１０２ カバー部材
１０３ 補助カバー部
１０４ａ，１０４ｂ 雄コネクタ
１０５ａ，１０５ｂ 開口部
１０６ 係止溝
１０７ａ〜１０７ｆ 雄コネクタ
１０８ａ〜１０８ｆ 開口部
１１０ 突片
１１１ 孔
１１２ 係止片
１１３ ボス
１２０ カバー部材
１２１ 開口部
１２２ 接続領域
１２３，１２４ コネクタ部
【図１】
0004436375.tif 000002
【図２】
0004436375.tif 000003
【図３】
0004436375.tif 000004
【図４】
0004436375.tif 000005
【図５】
0004436375.tif 000006
【図６】
0004436375.tif 000007
【図７】
0004436375.tif 000008
【図８】
0004436375.tif 000009
【図９】
0004436375.tif 000010
【図１０】
0004436375.tif 000011
【図１１】
0004436375.tif 000012
【図１２】
0004436375.tif 000013
【図１３】
0004436375.tif 000014
【図１４】
0004436375.tif 000015
【図１５】
0004436375.tif 000016